(57)【要約】【課題】  浴槽の内壁を手作業で洗浄する時、洗浄機本体の移動時における移動操作を自在なものとして、その自由度を向上させることができる。また、洗浄機本体の支持アームを簡単な構造で形成して簡素化すると共に、この支持アームを湾曲鋼帯により形成することで、支持強度を増強させることができる浴槽洗浄機を提供する。【解決手段】  洗浄機本体１のハウジング６の前面外部に突出させて浴槽の内壁を洗浄する回転自在な回転ブラシ２と、この回転ブラシ２を前記ハウジング６の内部に固設して回転駆動するモータ３と、前記ハウジング２の背面後方に突出させて洗浄機本体１を把持移動させる把持柄４と、前記ハウジング２の下端面より下方に突出させて洗浄機本体１の重さを支持する支持アーム５とを有する浴槽洗浄機において、前記支持アーム５は、長手縦方向を湾曲する湾曲鋼帯により屈曲補強して形成すると共に、前記把持柄４の内部に収納するように構成されていることを特徴とする浴槽洗浄機。【選択図】図１
2011104308.tif 000002
【特許請求の範囲】
【請求項１】
洗浄機本体のハウジングの前面外部に突出させて浴槽の内壁を洗浄する回転自在な回転ブラシと、
この回転ブラシを前記ハウジングの内部に固設して回転駆動するモータと、
前記ハウジングの背面後方に突出させて洗浄機本体を把持移動させる把持柄と、
前記ハウジングの下端面より下方に突出させて洗浄機本体の重さを支持する支持アームとを有する浴槽洗浄機において、
前記支持アームは、長手縦方向を湾曲する湾曲鋼帯により屈曲補強して形成すると共に、前記把持柄の内部に収納するように構成されていることを特徴とする浴槽洗浄機。
【発明の詳細な説明】
【技術分野】
【０００１】  本発明は、一般家庭の浴槽の内壁を洗浄する浴槽洗浄機に関するものである。
【背景技術】
【０００２】  従来、一般家庭の浴槽を洗浄するに際しては、洗浄用のブラシやスポンジなどを用いた手作業で行っていたが、この洗浄作業は、腰を曲げながらの無理な姿勢で浴槽の表面を擦り洗いしなければならないので、かなりの重労働を強いられることになるばかりか、洗浄に思い通りの操作が困難であった。そこで、近年では、作業者の労力を軽減し、作業性を向上させた浴槽洗浄機が知られている。【０００３】  このような浴槽洗浄機には、例えば本出願人本人が先に出願したもので、特許文献１に示されるように、電動式浴槽洗浄装置の装置本体は、浴槽の内壁に押圧して洗浄する洗浄手段と、この洗浄手段を回転駆動させるための駆動手段と、上記装置本体を定荷重で保持する保持手段とを備えたものがある。上記保持手段は、上記装置本体の荷重を吊下げて支える吊下げ装置および押上げて支える押上げ装置により、上記装置本体の重さと略均衡して保持するように構成されるものとなっている。【０００４】
【特許文献１】特開２００９−１１９２０８号公報
【発明の開示】
【発明が解決しようとする課題】
【０００５】  上記特許文献１に開示の電動式浴槽洗浄装置は、浴槽の内壁を洗浄する時、装置本体の保持手段を浴槽の上縁面に吊下げて移動させるため、装置本体の移動に制約があり、思い通りの操作性を十分に満足することができないものであり、移動の自由度並びに操作性に問題があった。また、保持手段が押上げ装置によるものでは、保持手段の構成が比較的複雑であり、この押上げ装置の保持強度において、構造面での耐久性に不満が残るものであった。【０００６】  本発明は、上記課題に鑑みてなされたものであり、浴槽の内壁を手作業で洗浄する時、洗浄機本体の移動時における移動操作を自在なものとして、その自由度を向上させることができる。また、洗浄機本体の支持アームを簡単な構造で形成して簡素化すると共に、この支持アームを湾曲鋼帯により形成することで、支持強度を増強させることができる浴槽洗浄機を提供することを目的とする。
【課題を解決するための手段】
【０００７】  本発明の請求項１に記載の浴槽洗浄機は、洗浄機本体のハウジングの前面外部に突出させて浴槽の内壁を洗浄する回転自在な回転ブラシと、この回転ブラシを前記ハウジングの内部に固設して回転駆動するモータと、前記ハウジングの背面後方に突出させて洗浄機本体を把持移動させる把持柄と、前記ハウジングの下端面より下方に突出させて洗浄機本体の重さを支持する支持アームとを有する浴槽洗浄機において、前記支持アームは、長手縦方向を湾曲する湾曲鋼帯により屈曲補強して形成すると共に、前記把持柄の内部に収納するように構成されていることを特徴とする浴槽洗浄機。
【発明の効果】
【０００８】  本発明の請求項１に記載の浴槽洗浄機は、以上のように構成することにより、洗浄機本体を浴槽内に配置して、この洗浄機本体のハウジングの前面外部に突出させた回転ブラシを、ハウジングの下端面より進退可能に突出させ、洗浄機本体の重さを支持する支持アームにより、自在に移動させることがでるので、洗浄機本体の移動操作性を向上させることができる。また、支持アームが薄帯板状で長手方向に屈曲可能な湾曲鋼帯により形成されているので、この支持アームの直線部分では支持強度を増強させることができ、且つ、把持柄内部の折れ曲り部では支持アームを屈曲させて把持柄の内部に収納されるように設けられているので、従来の浴槽洗浄機に比べて比較的簡素化して形成することができ、操作性、耐久性をも向上させることができる。
【発明を実施するための最良の形態】
【０００９】  以下、本発明に係る浴槽洗浄機の一実施の形態を図１〜図６に基づいて説明する。
【実施例】
【００１０】  図１は、本発明に係る浴槽洗浄機の一実施形態の洗浄機本体と浴槽内での使用状態を示す斜視図である。なお、ここでは、図１における洗浄機本体を浴槽の内壁面に押圧する方向を前後方向、上下、左右への移動方向を上下方向及び左右方向として説明するが、この方向はあくまで説明の便宜のために用いている。【００１１】  図２は、図１における同洗浄機本体の斜視図である。図３は、同洗浄機本体の一部を切断した状態で示す縦断面図である。図４は、同洗浄機本体の支持アームが収納された状態を示す一部切断、一部破断の側面図である。図５及び図６は、図３の線ＩＩ−ＩＩ及び図４の線ＩＩＩ−ＩＩＩにおける拡大断面図である。【００１２】  この浴槽洗浄機の洗浄機本体１は、図１に示すように、浴槽Ｔの内壁Ｔｓに押圧して洗浄する回転ブラシ２と、この回転ブラシ２を回転駆動するモータ３と、洗浄機本体１を把持して移動させるための把持柄４と、洗浄機本体１の重さを支えて、浴槽Ｔの底面Ｔｂに立接させた状態で支持する進退可能な支持アーム５とを有し、この状態で、支持アーム５を把持柄４の内部に収納するように構成されている。なお、洗浄機本体１は、支持アーム５の下端部を底面Ｔｂに当接させた状態で、洗浄機本体１の重さを支持アーム５の矢印Ｚの方向の付勢力で支持している。【００１３】  洗浄機本体１は、例えば図３に示すように、水密構造体の箱形状のハウジング６の内部に回転ブラシ２を回転駆動するための減速機付の直流モータ３と、このモータ３の電源である電池３１とが収納されている。モータ３の駆動軸３ａは、水密性を保つ回転シールを介してハウジング６の前面外部に突出している。この駆動軸３ａの先端部には、回転ブラシ２が取付けられている。回転ブラシ２は、駆動軸３ａと同心軸の円板状回転体で、前面部に洗浄効果が優れ、浴槽を傷付けにくいスポンジ等で形成されている。【００１４】  支持アーム５は、ハウジング６の背面下端部より下方向に進退可能に突出させて設けている。この支持アーム５は、例えば図５に示すように、縦長の帯板の縦方向を湾曲させた細長い薄帯板状で屈曲可能な湾曲鋼帯により形成されている。したがって、支持アーム５の長手方向部に縦方向の力が加わるときには、この湾曲鋼帯の弾性力により直線方向の折れ曲りを防止するように屈曲補強されている。また、支持アーム５の長手方向部の横方向に力が加わるときには、所定の屈曲半径で容易に折り曲げることができ屈曲可能である。この支持アーム５の下端先端部には、移動自在なボールキャスター５１が取付けられている。このボールキャスター５１は、接地面を球状のコロで形成されて、前後、左右自在に移動させることができるものである。【００１５】  また、支持アーム５は、ハウジング６の背面部の下端から進退自在に突出させ、洗浄機本体１を把持して移動させるための把持柄４の内部から延伸して設けられている。このハウジング６の背面部に固着して斜め上方に伸ばした角筒状の柄パイプ４１の後端部には、把持柄４を延伸する内部空洞状の把持部４ａが設けられている。ハウジング６の背面部の支持アーム５の背面には、定荷重ばね７が設けられている。この定荷重ばね７は、薄帯状の板ばねを所定の巻径で形成された帯板７ａを巻取ドラムに巻き付けたものであり、定荷重の巻戻し付勢力を有している。この巻取ドラムはハウジング７の両側壁に回転自在に軸支されている。柄パイプ４１の内部には、ロック部材５２が前後方向に摺動自在に設けられ、支持アーム５の後端部と帯板７ａの前端部は、共にロック部材５２に固定され一体的に移動できるものとされている。したがって、支持アーム５は、柄パイプ４１内部において、定荷重ばね７の付勢力により前方向に引戻され、支持アーム５の下端部はハウジング６の下方向に押し出されている。【００１６】  支持アーム５が定荷重ばね７の付勢力に抗してハウジング６の下端面に当接するように上端まで押し上げられたとき、支持アーム５の後端部は、例えば図４に示すように、定荷重ばね７の帯板７ａは、ロック部材５２と共に柄パイプ４１に沿って把持柄４の後端方向に移動して、把持柄４の柄パイプ４１の内部に収納されている。【００１７】  把持部４ａの内部には、把持部４ａ内の後端部に上下に摺動自在なフック部材４２が設けられ、圧縮バネで下方向に付勢されている。フック部材４２の下端突起部がロック部材５２の後端部に設けられたロック孔５２ａと係止して支持アーム５の復帰が阻止されている。また、把持部４ａ内の上部には、前後に摺動自在なスライド部材４３が脱落を防止（図示しない）して設けられている。このスライド部材４３の後端部の勾配面とフック部材４２の下面の勾配面とを当接させて設けられている。スライド部材４３の前端部には、把持柄４の外部上面に突出させて前後に移動できるロック解除釦４３ａを設けている。【００１８】  また、把持柄４には、モータ３の駆動を開閉する作動スイッチ４４が防水構造的に設けられ、柄パイプ４１内を通してモータ３及び電池３１に結線（図示しない）されている。【００１９】  回転ブラシ２は、ポリプロピレン等の樹脂製のブラシ毛を植毛して回転円盤状に形成したものであってもよい。また、把持柄４は、ハウジング６との取付け部で折り曲げ自在に設ければ、洗浄作業性が更に良くなるものとなる。なお、電池３１は、外部から充電できるように、充電可能な二次電池であることが望ましい。また、洗浄機本体１のモータ３への電源供給を電池３１に替えて、外部から配線により供給するようにしてもよい。【００２０】  次に、上記のように構成されている浴槽洗浄機の作用について説明する。【００２１】  まず、洗浄機本体１を浴槽Ｔ内の内壁Ｔｓの近傍に配置し、支持アーム５の下端部を浴槽Ｔの底面Ｔｂに立接させた状態で洗浄機本体１の重さを支持させると共に、把持柄４を把持して回転ブラシ２を浴槽Ｔの内壁Ｔｓ面の任意の位置に配設する。このとき、支持アーム５は、縦方向に湾曲した湾曲鋼帯で形成されて屈曲補強されているので、支持アーム５の折れ曲りが防止されている。つぎに、把持柄４の作動スイッチ４４をＯＮとすると、モータ３が回転を開始し、モータ３の駆動軸３ａに取付けられた回転ブラシ２の回転が開始する。【００２２】  支持アーム５は、洗浄機本体１の重さを定荷重ばね７の付勢力により下方向に押し出され、下端部が浴槽Ｔの底面Ｔｂに垂直に立接した状態で支え、回転ブラシ２を浴槽Ｔの内壁Ｔｓ面に当接させて任意の高さ位置で支持できる。このとき、���持アーム５は、把持柄４の内部に収納されるので、洗浄機本体１をコンパクトに構成できる。また、支持アーム５の下端先端部に取付けられたボールキャスター５１により、洗浄機本体１を前後、左右自在に移動させることができる。したがって、洗浄機本体１を任意な高さ位置に支持した状態から、把持柄４を把持して回転ブラシ２を浴槽Ｔの内壁Ｔｓに適当な強さで押圧させながら上下、左右方向自在に移動させて内壁Ｔｓ面を洗浄することができる。また、洗浄機本体１を浴槽Ｔの内壁Ｔｓの他の内壁Ｔｓ面に位置を変える場合には、把持柄４を把持したまま洗浄機本体１を任意の位置に移動させることができる。このようにして、浴槽Ｔの内壁Ｔｓ面の全面を洗浄することができる。【００２３】  支持アーム５を定荷重ばね７の付勢力に抗して、回転ブラシ２を浴槽Ｔの底面Ｔｂに当接する下方向に移動させれば、支持アーム５は、把持柄４の内部に押し込まれて収納される。このとま、把持柄４の後端部を更に下方向に下げれば、図４に示すように、支持アーム５の内部端のロック部材５２は、把持柄４の後端部のフック部材４２に係止されて支持アーム５の復帰が阻止されこの状態を維持する。このとき、把持柄４上部のロック解除釦４３ａを後方向に移動させれば、スライド部材４３の後端部の勾配面がフック部材４２の下面の勾配面と当接されているため、フック部材４２は圧縮バネの付勢力に抗して上方向に移動して、ロック部材５２のロック孔５２ａはフック部材４２の下端突起部から抜けて係止が解除さる。したがって、支持アーム５は洗浄機本体１の下方向に押し出されることになる。【００２４】  また、支持アーム４を把持柄４の内部に収納した状態においては、装置本体１を単独で使用することができるため、従来の浴槽洗浄機と同じように浴槽の底面や、他の浴室壁面も洗浄することができるものとなる。
【図面の簡単な説明】
【００２５】
【図１】本発明に係る浴槽洗浄機の一実施形態の洗浄機本体と浴槽内での使用状態を示す斜視図である。
【図２】図１における同洗浄機本体の斜視図である。
【図３】同洗浄機本体の一部を切断した状態で示す縦断面図である。
【図４】同洗浄機本体の支持アームが収納された状態を示す一部切断、一部破断の側面図である。
【図５】図３の線ＩＩ−ＩＩにおける拡大断面図である。
【図６】図４の線ＩＩＩ−ＩＩＩにおける拡大断面図である。
【符号の説明】
【００２６】１    洗浄機本体
２    回転ブラシ
３    モータ
４    把持柄
５    支持アーム
６    ハウジング
７    定荷重ばね
Ｔ    浴槽
Ｔｓ  内壁
Ｔｂ  底面
Ｚ    矢印
【図１】
2011104308.tif 000003
【図２】
2011104308.tif 000004
【図３】
2011104308.tif 000005
【図４】
2011104308.tif 000006
【図５】
2011104308.tif 000007
【図６】
2011104308.tif 000008